(57)【要約】【課題】横一側端に刈草排出口を備えたモーアデッキの内部に、縦軸心周りに同方向に回転駆動される複数の回転ブレードを並列軸支したモーアを、各種形態の芝刈り作業を効率よく行うことができる機能性に優れたものにする。【解決手段】モーアデッキ内の後部に、各回転ブレード１６，１７，１８の回転軌跡を後方より同心状に囲む後部バッフル２９を固設し、刈草排出方向の上手側に位置する回転ブレードで刈取った刈草を刈草排出方向の下手側に位置する回転ブレードの回転領域内に導く平面形状が波形の前部バッフル３０と、各回転ブレード１６，１７，１８の回転軌跡を囲む細断室をブレードごとに区画形成する細断用バッフルとを、モーアデッキ１５に取替え脱着可能に構成してある【選択図】　　　　図６
2004041060.tif 000002
【特許請求の範囲】
【請求項１】
横一側端に刈草排出口を備えたモーアデッキの内部に、縦軸心周りに回転駆動される複数の回転ブレードを並列軸支し、各回転ブレードにおける回転軌跡の前半部が前記刈草排出口の存在する側に向かうように全回転ブレードの回転方向を同方向に設定してあるモーアであって、
前記モーアデッキを、その天板高さが全体的に同高さに設定されたフラットデッキに構成するとともに、モーアデッキ内の後部に、各回転ブレードの回転軌跡を後方より同心状に囲む後部バッフルを固設し、
刈草排出方向の上手側に位置する回転ブレードで刈取った刈草を刈草排出方向の下手側に位置する回転ブレードの回転領域内に導く平面形状が波形の前部バッフルと、前記後部バッフルとの共働で各回転ブレードの回転軌跡を囲む細断室をブレードごとに区画形成する細断用バッフルとを、モーアデッキに取替え脱着可能に構成してあることを特徴とするモーア。
【請求項２】
平面形状が波形に形成された前記前部バッフルにおけるデッキ内方側に突出する波形頭部を、ブレード回転半径に近い曲率の凸曲形状に形成してある請求項１記載のモーア。
【請求項３】
モーアデッキの内部に３本の回転ブレードが並列されており、前記細断用バッフルが装着された状態において、左右の回転ブレードの細断室が回転ブレード回転軌跡と同心の円形に形成され、中央の回転ブレードの細断室は、左右の回転ブレードの細断室が部分的に食い込んだ形状となるように細断用バッフルを形成してある請求項１または２記載のモーア。
【発明の詳細な説明】
【０００１】
【発明の属する技術分野】
本発明は、横一側端に刈草排出口を備えたモーアデッキの内部に、縦軸心周りに回転駆動される複数の回転ブレードを並列軸支し、各回転ブレードにおける回転軌跡の前半部が前記刈草排出口の存在する側に向かうように全回転ブレードの回転方向を同方向に設定してあるモーアに関する。
【０００２】
【従来の技術】
上記構成のモーアとしては、例えば特開平８−２８０２２５号公報に示されるように、モーアデッキの天板前部を深く絞ってデッキ一端の刈草排出口に連なるトンネル部を形成し、各ブレード回転軌跡の前半部で跳ね飛ばされた刈草をトンネル部に沿って搬送して刈草排出口に導くよう構成された、いわゆるサイドディスチャージ形式のものが多用されている。
【０００３】
また、刈草の回収を不要にするとともに、刈草を堆肥として利用するために、刈草を特に小さく細断して刈り跡に残してゆくマルチング作業が要求されることもあり、このために、例えば特開平６−１４６３４号公報に開示されているように、モーアデッキの内部に各回転ブレードごとに細断室（エンクロージャ）を形成するために細断用のバッフルを取り付けることが提案されている。
【０００４】
【発明が解決しようとする課題】
上記のように刈草を搬送するトンネル部を備えたモーアデッキは、刈草が回転ブレードで持ち回られること少なくトンネル部に沿って円滑かつ速やかに搬送されるので、管理が行き届いていない長い芝などを、持ち回りに伴う動力ロス少なく刈取ることができる利点を有するものであるが、管理された芝の上部だけを刈取って細かくして、目立つことなく均平に拡散放出するような作業には不適であった。
【０００５】
また、トンネル部付きのモーアデッキを用いてマルチング作業を行う場合、バッフルの取り付けによって形成された細断室は、トンネル部より後方部位、つまり、深さの浅い部位に形成されることになり、細断室において十分長く刈を滞留させることが難しく、細断処理時間を長くとって細断効率を高めることが困難となるものであった。
【０００６】
本発明は、このような実情に着目してなされたものであって、各種形態の草刈り作業を効率よく行うことができる機能性に優れたモーアを提供するすることを目的としている。
【０００７】
【課題を解決するための手段】
〔請求項１に係る発明の構成、作用、および、効果〕
【０００８】
請求項１に係る発明は、横一側端に刈草排出口を備えたモーアデッキの内部に、縦軸心周りに回転駆動される複数の回転ブレードを並列軸支し、各回転ブレードにおける回転軌跡の前半部が前記刈草排出口の存在する側に向かうように全回転ブレードの回転方向を同方向に設定してあるモーアであって、
前記モーアデッキを、その天板高さが全体的に同高さに設定されたフラットデッキに構成するとともに、モーアデッキ内の後部に、各回転ブレードの回転軌跡を後方より同心状に囲む後部バッフルを固設し、
刈草排出方向の上手側に位置する回転ブレードで刈取った刈草を刈草排出方向の下手側に位置する回転ブレードの回転領域内に導く平面形状が波形の前部バッフルと、前記後部バッフルとの共働で各回転ブレードの回転軌跡を囲む細断室をブレードごとに区画形成する細断用バッフルとを、モーアデッキに取替え脱着可能に構成してあることを特徴とする。
【０００９】
上記構成によると、前部バッフルを取り付けた細断サイドディスチャージ形態と、前部バッフルに代えて細断用バッフルを取り付けたマルチング形態と、これら前部バッフルと細断用バッフルを共に取り外した標準的なサイドディスチャージ形態の三形態を適宜選択することができる。
例えば、管理された芝草の上部や、軽い芝草を刈り取って細断した上で拡散放出する場合には、前部バッフルを取り付けた細断サイドディスチャージ形態を選択すればよく、また、刈草を特に細かく細断して刈取り跡に残し置いてゆく場合には、細断用バッフルを取り付けたマルチング形態を選択すればよく、また、草丈の長い管理されていない芝草を単に刈り取る場合には、前部バッフルと細断用バッフルを共に取り外して標準的なサイドディスチャージ形態にすればよい。
【００１０】
従って、請求項１に係る発明によると、３種類の刈取り作業形態を任意に選択することができる機能性に優れたモーアを構成することができる。
【００１１】
〔請求項２に係る発明の構成、作用、および、効果〕
【００１２】
請求項２に係る発明は、請求項１の発明において、平面形状が波形に形成された前記前部バッフルにおけるデッキ内方側に突出する波形頭部を、ブレード回転半径に近い曲率の凸曲形状に形成してある。
【００１３】
上記構成によると、前部バッフルを取り付けた細断サイドディスチャージ形態において、刈草排出方向の上手側に位置する回転ブレードで刈取った刈草を刈草排出方向の下手側に位置する回転ブレードの回転領域内に導く場合、前部バッフルで案内された刈草が大きい曲率の波形頭部付近に至ると、波形頭部の案内面が滑らかに向き変更するのに伴って刈草も広い範囲に拡散されながら下手側の回転ブレードの回転領域に供給されて細断作用を受ける。
【００１４】
従って、請求項２に係る発明によると、請求項１の発明の上記効果をもたらすとともに、細断サイドディスチャージ形態における細断効率を向上することができる。
【００１５】
〔請求項３に係る発明の構成、作用、および、効果〕
【００１６】
請求項３に係る発明は、請求項１または２の発明において、モーアデッキの内部に３本の回転ブレードが並列されており、前記細断用バッフルが装着された状態において、左右の回転ブレードの細断室が回転ブレード回転軌跡と同心の円形に形成され、中央の回転ブレードの細断室は、左右の回転ブレードの細断室が部分的に食い込んだ形状となるように細断用バッフルを形成してある。
【００１７】
上記構成によると、左右の回転ブレードにおける円形の細断室での切断風は、円形から少し外れた中央の細断室に優先して円滑に旋回流動することになり、この円形の細断室内での細断および刈草の分散が中央細断室内でのそれよりも良好となり、左右回転ブレードの通過跡の仕上がりの良好な刈取りが行える。
また、この種のモーアは、多くの場合、走行機体における前後輪の間に装着されるので、３本の回転ブレード型のモーアでは前後輪の軌跡と左右回転ブレードの作用域とが重複することになり、前輪で踏みつけられて倒された芝草の刈取りが良好に行われなかったり、細断した刈草が前輪通過跡に集中したり、後輪によって刈跡が踏みつけられることによって刈草の塊が発生するようなことがあるが、円形に形成された左右の細断室での刈取り細断性能および刈草分散性能が向上することで、上記のような不具合の発生が解消あるいは緩和される。
【００１８】
従って、請求項３に係る発明によると、請求項１または２の発明の上記効果をもたらすとともに、全体的に仕上がりの良いマルチング作業を行うことが可能となった。
【００１９】
【発明の実施の形態】
図１に、本発明に係るモーアＭを装着した乗用型芝刈り機の全体側面が、また、図２にその平面がそれぞれ示されている。この芝刈り機は、キャスタ輪に構成された左右一対の前輪１と左右一対の駆動後輪２を備えた走行機体３における前後輪間の下腹部に、モーアＭが四連リンク構造のリンク機構４を介して吊り下げ支持された構造となっており、リンク機構４を油圧あるいは手動によって昇降操作することで、モーアＭを略平行に昇降できるよう構成されている。また、走行機体３の後部にエンジン５が搭載されるとともに、その前部に運転座席６が配備されている。
【００２０】
走行機体３における主フレー３ａから後方斜め下方に延出された左右一対の後部フレーム３ｂに後部伝動部が支持されており、その概略が図４に示されている。前記エンジン５の出力は、カウンターケース７に入力されて走行系と作業系とに分岐され、作業系の動力は横向き回転動力に変換されて左右一対の油圧式の無段変速装置（ＨＳＴ）８に入力され、その変速出力が減速ケース９を介して後輪２に伝達されるようになっている。なお、減速ケース９には左右後輪２を各別に制動するブレーキ１０が装備されている。また、作業系の動力は、ＰＴＯクラッチ１１を介してＰＴＯ軸１２から前方に向けて出力される。
【００２１】
左右の無段変速装置８は、運転座席６の左右両脇に前後揺動可能に配備された走行レバー１３によって各別に変速操作されることで、左右の後輪２がそれぞれ独立的に前後進変速されるよう構成されている。従って、左右の走行レバー１３を共に前方に同量だけ揺動操作することで左右の後輪２を共に同速度で前進駆動して直進前進を行うことができ、左右の走行レバー１３を共に後方に同量だけ揺動操作することで直進後進を行うことができ、また、左右の走行レバー１３の操作量を異ならせて左右の後輪２の速度を互いに異ならせることで、走行機体３を任意の方向に旋回移動させることができる。特に、左右の走行レバー１３の一方を中立停止位置に操作するとともに他方の走行レバー１３を前進域あるいは後進域に操作することで、停止された一方の後輪２を中心とすた信地旋回を行うことができ、また、左右の走行レバー１３を中立位置から互いに逆方向に揺動操作して、左右後輪２の駆動方向を相反させることで、走行機体３を左右後輪２の間を中心として超信地旋回させることができるのである。
【００２２】
モーアＭは、下向きに開放されたモーアデッキ１５の内部に、縦軸心周りに回転駆動される３枚の回転ブレード１６，１７，１８が、中央の回転ブレード１７が少し前方に偏位するよう平面視で三角配置されて軸支された構造となっており、モーアデッキ１５は、その上下深さがトンネル付きのモーアデッキにおける後部の深さよりも深く、かつ、天板高さが全体的に同高さに設定されたフラットデッキに構成されるとともに、その右端部には刈草排出口ｄが形成されている。
【００２３】
そして、前記ＰＴＯ軸１２から取り出された作業用動力が、モーアデッキ１５の中央上面に配備されたベベルギヤケース１９の後ろ向き入力軸２０に一対の自在継手２１，２２および伸縮自在な伝動軸２３を介して伝達され、ベベルギヤケース１５で縦軸回転に変換された動力が中央の回転ブレード１２の回転軸１７ａに伝達されるとともに、この回転軸１７ａと左右の回転ブレード１６，１８の回転軸１６ａ，１８ａとがベルト２４によって巻き掛け連動され、各回転ブレード１６，１７，１８における回転軌跡の前半部が刈り芝排出口ｄが存在している側に向かうよう、全回転ブレード１６，１７，１８が同方向（上面視で時計方向）に等速で回転駆動されるようになっている。
【００２４】
また、モーアデッキ１５の後端辺の左右中央部位には、台形の凹部ａが形成されている。この凹部ａは、後方の自在継ぎ手２２より前方まで入り込む深さを有しており、図５に示すように、後方の自在継ぎ手２２が凹部ａに入り込むまでモーアＭを大きく上昇することが可能となっている。
【００２５】
前記モーアデッキ１５の前側中央と前側左右両端近くに障害物乗り越え用の遊転輪（アンチスキャルプローラ）２５，２６が配備されるとともに、モーアデッキ１０の後側中央寄りの左右２箇所にも障害物乗り越え用の遊転輪２７が配備されており、上方への移動融通をもってリンク機構４に吊り下げ支持されたモーアＭに地上の斜面や隆起部などに接近すると、遊転輪２５，２６，２７のいずれかが隆起部などに乗り上がることでモーアＭが相対的に持ち上げられて、モーアデッキ１５が直接に接触して地面を削ることが回避されるようになっている。ここで、デッキ前側における中央の遊転輪２５とデッキ後側における左右の遊転輪２７とが、向き固定に構成されているるのに対して、デッキ前側における左右の遊転輪２６はキャスタ輪に構成されていて、走行機体３が信地旋回や超信地旋回などで急旋回される際に遊転輪２６が接地しても、モーアＭの向き変更に遊転輪２６が円滑に転動追従して向き変更され、大きく移動する遊転輪２６によって芝削りがもたらされてしまうことが未然に回避されるようになっている。
【００２６】
このモーアＭは、モーアデッキ１５の内部仕様を変更することで３種の形態での刈取り作業を選択および変更することが可能となっており、以下に各形態の構成を説明する。
【００２７】
［細断サイドディスチャージ形態］
図６に、管理された芝草の上部を刈り取って比較的細かく細断した上で刈草排出口ｄから拡散放出するのに適したサイドディスチャージ形態に構成されたモーアＭの横断平面図が示されている。このモーアＭにおけるモーアデッキ１５内の後部には、各回転ブレード１６，１７，１８の回転軌跡を後方より同心状に囲む後部バッフル２９が溶接固定されているとともに、モーアデッキ１５内の前部には、各回転ブレード１６，１７，１８の回転軌跡を前方より囲む前部バッフル３０が脱着自在に取り付けられている。
【００２８】
この前部バッフル３０は、縦向きの板材を波形に湾曲形成したものであり、刈草搬送方向での最上手（左端）の回転ブレード１６の前部に対向する第１前部バッフル３０ａと、中央および刈草搬送方向での最下手（右端）の回転ブレード１７，１８の前部に対向する第２前部バッフル３０ｂとを突き合わせてボルト３１で連結した構造となっており、第１前部バッフル３０ａおよび第２前部バッフル３０ｂの前面には取付け用のボルト３２が溶接固着されている。他方、モーアデッキ１５の天板１５ａには、前記ボルト３２を挿通する取付け孔３３が形成されており、前部バッフル３０の各ボルト３２をデッキ内方から取付け孔３３に挿通して、各ボルト３２の突出端にナット３４を締め込み装着するよう構成されている。また、モーアデッキ１５の左側壁１５ｂに第１前部バッフル３０ａの左端部に突き合わされる取付け金具３５が溶接固定されるとともに、第２前部バッフル３０ｂの右端部前面には取付け金具３６が溶接固定されており、第１前部バッフル３０ａの左端部を前記取付け金具３５にボルト３７で締め連結するとともに、取付け金具３６をモーアデッキ１５の前壁１５ｂにボルト３８で締め連することで、前部バッフル３０が強固にデッキ内部に連結固定されるようになっている。
【００２９】
ここで、波形に形成された前部バッフル３０におけるデッキ内方側に突出する波形頭部ｅ、つまり、隣接する回転ブレードの間に対向する部分は、ブレード回転半径と同程度の大きい曲率の凸曲形状に形成されており、上手の回転ブレードで刈り取られた刈草の一部は前部バッフル３０の凹入湾曲面で案内されて持ち回り回転して細断されるとともに、刈草の一部は滑らかに凸曲した前記波形頭部ｅで案内されて下手の回転ブレードの回転領域内に拡散供給されて細断処理を受けることになる。
【００３０】
［マルチング形態］
図９に、刈り取った刈草を十分細かく細断した上でモーア通過跡に放置してゆくマルチング形態に構成されたモーアＭを横断した平面図が示されており、この形態では、前記後部バッフル２９との共働で各回転ブレード１６，１７，１８の回転軌跡を囲む円形の細断室ｇ，ｈ，ｉをブレードごとに区画形成する細断用バッフル４０が上記した前部バッフル３０に代えて取り付けられている。
【００３１】
前記細断用バッフル４０は、図１４に示すように、左マルチングバッフル４０ａ、右マルチングバッフル４０ｂ、および、中央マルチングバッフル４０ｃとで構成され、デッキ上面の前記取付け孔３３などを利用して取付け固定される。
【００３２】
左マルチングバッフル４０ａは、その前面に立設固定されたボルト４１を用いてデッキ天板１５ａの取付け孔３３に取り付けられるとともに、その左端部がデッキ側の前記取付け金具３５にボルト４２で連結され、かつ、右端部に溶接固定した継ぎ金具４３が後部バッフル２９にボルト４４で締め付け固定されるようになっている。
【００３３】
右マルチングバッフル４０ｂは、その前面に支持金具４５を介して立設固定されたボルト４６を用いてデッキ天板１５ａの取付け孔３３に取り付けられるとともに、その左端部に溶接固定した継ぎ金具４７が後部バッフル２９にボルト４８で締め付け固定され、かつ、右端部に溶接固定した継ぎ金具４９が刈草排出口ｄの後部にボルト５０で締め付け固定されるようになっている。
【００３４】
また、中央マルチングバッフル４０ｃは、その前面に直接に立設固定されたボルト５１、および支持金具５２を介して立設固定されたボルト５１を用いてデッキ天板１５ａの取付け孔３３に取り付けられるようになっている。そして、この中央マルチングバッフル４０ｃの左右両端部には、左右マルチングバッフル４０ａ，４０ｂと中央マルチングバッフル４０ｃとの合流部位に形成される前向きＶ形空間ｊを埋めるガイド部材５３が溶接固定されている。このガイド部材５３は、図１１，図１２に示すように、Ｖ形空間ｊの前面開口を閉塞する前板部５３ａと、Ｖ形空間ｊの底部を閉塞する底板部５３ｂとを屈曲形成したＬ形の板材で形成されており、モーアデッキ１５の前壁１５ｃを通過してデッキ内に導入されてきた芝草がＶ形空間ｊに寄せ集められることを防止して、刈残しを少なくするよう構成されている。
この場合、底板部５３ｂは前板部５３ａを通過した芝草が起立してＶ形空間ｊに入り込むことを抑える機能を発揮する。
【００３５】
また、左右の回転ブレード１６，１８の細断室ｇ，ｉが回転ブレード回転軌跡と同心の円形に形成されるとともに、中央の回転ブレード１７の細断ｈは、左右の回転ブレード１６，１８の細断室ｇ，ｉが部分的に食い込んだ形状となっている。なお、左右のマルチングバッフル４０ａ，４０ｂにおける中央の回転ブレード１７の細断室ｈへの侵入部位においては、中央の回転ブレード１７との干渉を避けるために、左右マルチングバッフル４０ａ，４０ｂの下部に切欠きｋが形成されている。
【００３６】
［標準サイドディスチャージ形態］
図１５に、長く伸びた芝草を刈り取って刈草排出口ｄから放出す標準的なサイドディスチャージ形態に構成されたモーアＭの横断平面図が示されている。この形態では、前記前部バッフル３０および細断用バッフル４０が取り外されており、搬送上手の回転ブレードで刈り取られた刈草は、下手の回転ブレードの切断作用域に案内されることなく、天板１５ａおよびデッキ前壁１５ｃに沿って刈草排出口ｄまで速やかに搬送されて排出されることになり、長い芝草を無駄な細断負荷をかけることなく刈り取ることができる。
【００３７】
〔別実施形態〕
本発明は、以下のような形態で実施することもできる。
（１）前部バッフル３０を２分割することなく一体に構成するもよく、また、逆に、３分割構造にして、取り外した前部バッフル３０を嵩低く保管することもできる。
（２）細断用バッフル４０における左右マルチングバッフル４０ａ，４０ｂと中央マルチングバッフル４０ｃを予め溶接等で一体化しておくもよい。この場合、ガイド部材５３を左右マルチングバッフル４０ａ，４０ｂと中央マルチングバッフル４０ｃとの連結補強部材に利用することで、細断用バッフル４０を剛性の高いものにすることができる。
多くの芝がＶ形空間ｇに寄せ集められることを防止ことができる。
（３）前部バッフル３０および細断用バッフル４０をモーアデッキ１５に脱着する手段は上記構造に限られるものではなく、例えば、前部バッフル３０および細断用バッフル４０の上端部にナットを溶接固定しておき、デッキ天板１５ａの取り付け孔３３に上方からボルトを挿入して、前部バッフル３０および細断用バッフル４０のナットに締め込む構造、等を適宜選択して採用することができる。
【図面の簡単な説明】
【図１】乗用芝刈り機の全体側面図
【図２】乗用芝刈り機の全体平面図
【図３】モーアの平面図
【図４】伝動構造の概略図
【図５】モーアを上昇させた状態を示す一部切欠き側面図」
【図６】細断サイドディスチャージ形態に構成されたモーアの横断平面図
【図７】細断サイドディスチャージ形態に構成されたモーアの縦断後面図
【図８】細断サイドディスチャージ形態に構成されたモーアの左右中央部位での縦断側面図
【図９】マルチング形態に構成されたモーアの横断平面図
【図１０】マルチング形態に構成されたモーアの左右中央部位での縦断側面図
【図１１】細断用バッフルの一部を示す横断平面図
【図１２】細断用バッフルに備えられたガイド部材の縦断側面図
【図１３】細断用バッフルの一部を示す斜視図
【図１４】細断用バッフルの構成部材を示す分解平面図
【図１５】標準サイドディスチャージ形態に構成されたモーアの横断平面図
【符号の説明】
１５　　　　　　　モーアデッキ
１６　　　　　　　回転ブレード
１７　　　　　　　回転ブレード
１８　　　　　　　回転ブレード
２９　　　　　　　後部バッフル
３０　　　　　　　前部バッフル
４０　　　　　　　細断用バッフル
ｄ　　　　　　　　刈草排出口
ｅ　　　　　　　　波形頭部
ｇ　　　　　　　　細断室
ｈ　　　　　　　　細断室
ｉ　　　　　　　　細断室
【図１】
2004041060.tif 000003
【図２】
2004041060.tif 000004
【図３】
2004041060.tif 000005
【図４】
2004041060.tif 000006
【図５】
2004041060.tif 000007
【図６】
2004041060.tif 000008
【図７】
2004041060.tif 000009
【図８】
2004041060.tif 000010
【図９】
2004041060.tif 000011
【図１０】
2004041060.tif 000012
【図１１】
2004041060.tif 000013
【図１２】
2004041060.tif 000014
【図１３】
2004041060.tif 000015
【図１４】
2004041060.tif 000016
【図１５】
2004041060.tif 000017